【手続補正書】
【提出日】平成24年10月15日(2012.10.15)
【手続補正１】
【補正対象書類名】特許請求の範囲
【補正対象項目名】全文
【補正方法】変更
【補正の内容】
【特許請求の範囲】
【請求項１】
加硫可能なポリマー組成物であって、
（ｉ）以下のものから誘導されるモノマー繰り返し単位を有するポリマー主鎖を有するポリマー：
（ｉａ）前記ポリマーを基準にして、少なくとも２５重量％〜９９．９重量％、好ましくは２５〜８９．５重量％、より好ましくは３０〜８０重量％、特に好ましくは４５〜７５重量％の、前記ポリマー主鎖に二級炭素および三級炭素の少なくとも１個を導入する第一のモノマー、好ましくは少なくとも１種のジエンモノマー、および
（ｉｂ）前記ポリマーを基準にして、０〜７４．９重量％、好ましくは１０〜６０重量％、より好ましくは１５〜５５重量％、特に好ましくは２０〜５０重量％の範囲の、少なくとも第二のモノマー、好ましくはα，β−エチレン性不飽和ニトリルモノマー；
（ｉｃ）前記ポリマーを基準にして、０．１〜２０重量％、好ましくは０．５〜２０重量％、より好ましくは１〜１５重量％、特に好ましくは１．５〜１０重量％の範囲の、第三のモノマーとしての、少なくとも１種の、α，β−エチレン性不飽和ジカルボン酸モノエステルモノマー、α，β−エチレン性不飽和ジカルボン酸モノマー、α，β−エチレン性不飽和ジカルボン酸無水物モノマー、またはα，β−エチレン性不飽和ジカルボン酸ジエステル、
ここで、（ｉａ）、（ｉｂ）および（ｉｃ）に記載のすべてのモノマー単位を合計したものが１００重量％である；
（ｉｉ）少なくとも１種のポリアミン架橋剤、
（ｉｉｉ）少なくとも１種の二環もしくは多環のアミン系塩基、ならびに
（ｉｖ）少なくとも１種のアルカリ金属塩、
を含む加硫可能なポリマー組成物。
【請求項２】
（ｉ）以下のものから誘導される、場合によっては水素化されたニトリルポリマー：
（ｉａ）少なくとも１種の共役ジエン、
（ｉｂ）少なくとも１種のα，β−不飽和ニトリル、および
（ｉｃ）第三のモノマーとしての、少なくとも１種のα，β−エチレン性不飽和ジカルボン酸モノエステルモノマー、α，β−エチレン性不飽和ジカルボン酸モノマー、α，β−エチレン性不飽和ジカルボン酸無水物モノマー、またはα，β−エチレン性不飽和ジカルボン酸ジエステル、
（ｉｉ）少なくとも１種のポリアミン架橋剤、
（ｉｉｉ）１，８−ジアザビシクロ［５．４．０］ウンデカ−７−エン（ＤＢＵ）、１，５−ジアザビシクロ［４．３．０］−５−ノネン（ＤＢＮ）、１，４−ジアザビシクロ［２．２．２］オクタン（ＤＡＢＣＯ）、１，５，７−トリアザビシクロ［４．４．０］デカ−５−エン（ＴＢＤ）、７−メチル−１，５，７−トリアザビシクロ［４．４．０］デカ−５−エン（ＭＴＢＤ）およびそれらの誘導体からなる群から特に選択される少なくとも１種の二環もしくは多環のアミン系塩基、
（ｉｖ）少なくとも１種のアルカリ金属塩、
（ｖ）場合によっては少なくとも１種の抗酸化剤、ならびに
（ｖｉ）場合によっては少なくとも１種の充填剤、
を含む、請求項１に記載の加硫可能なポリマー組成物。
【請求項３】
前記ポリマー（ｉ）を、少なくとも１種のポリアミン架橋剤（ｉｉ）、少なくとも１種の二環もしくは多環のアミン系塩基（ｉｉｉ）および少なくとも１種のアルカリ金属塩（ｉｖ）と混合することを含む、請求項１に記載の加硫可能なポリマー組成物を調製するための方法。
【請求項４】
ポリマー加硫物を調製するための方法であって、
以下のものから誘導されるモノマー繰り返し単位を有するポリマー主鎖を有するポリマー（ｉ）、
（ｉａ）前記ポリマーを基準にして、少なくとも２５重量％〜９９．９重量％、好ましくは２５〜８９．５重量％、より好ましくは３０〜８０重量％、特に好ましくは４５〜７５重量％の、前記ポリマー主鎖に二級炭素および三級炭素の少なくとも１個を導入する第一のモノマー、好ましくは少なくとも１種のジエンモノマー、および
（ｉｂ）前記ポリマーを基準にして、０〜７４．９重量％、好ましくは１０〜６０重量％、より好ましくは１５〜５５重量％、特に好ましくは２０〜５０重量％の範囲の、少なくとも第二のモノマー、好ましくはα，β−エチレン性不飽和ニトリルモノマー；
（ｉｃ）前記ポリマーを基準にして、０．１〜２０重量％、好ましくは０．５〜２０重量％、より好ましくは１〜１５重量％、特に好ましくは１．５〜１０重量％の範囲の、第三のモノマーとしての、少なくとも１種の、α，β−エチレン性不飽和ジカルボン酸モノエステルモノマー、α，β−エチレン性不飽和ジカルボン酸モノマー、α，β−エチレン性不飽和ジカルボン酸無水物モノマー、またはα，β−エチレン性不飽和ジカルボン酸ジエステル、好ましくは、少なくとも１種のα，β−エチレン性不飽和ジカルボン酸モノエステルモノマー；[ここで、（ｉａ）、（ｉｂ）および（ｉｃ）として言及されたすべてのモノマー繰り返し単位の合計が１００重量％である］を、
少なくとも１種のポリアミン架橋剤（ｉｉ）、
好ましくは１，８−ジアザビシクロ［５．４．０］ウンデカ−７−エン（ＤＢＵ）、１，５−ジアザビシクロ［４．３．０］−５−ノネン（ＤＢＮ）、１，４−ジアザビシクロ［２．２．２］オクタン（ＤＡＢＣＯ）１，５，７−トリアザビシクロ［４．４．０］デカ−５−エン（ＴＢＤ）、７−メチル−１，５，７−トリアザビシクロ［４．４．０］デカ−５−エン（ＭＴＢＤ）およびそれらの誘導体からなる群から選択される、少なくとも１種の二環もしくは多環のアミン系塩基（ｉｉｉ）、ならびに
少なくとも１種のアルカリ金属塩（ｉｖ）
と共に、高温で加硫することによってポリマー加硫物を調製するための方法。
【請求項５】
ポリマー加硫物であって、
以下のものから誘導されるポリマー主鎖を有するポリマー（ｉ）：
（ｉａ）前記ポリマーを基準にして、少なくとも２５重量％〜９９．９重量％、好ましくは２５〜８９．５重量％、より好ましくは３０〜８０重量％、特に好ましくは４５〜７５重量％の、前記ポリマー主鎖に二級炭素および三級炭素の少なくとも１個を導入する第一のモノマー、好ましくは少なくとも１種のジエンモノマー、
（ｉｂ）前記ポリマーを基準にして、０〜７４．９重量％、好ましくは１０〜６０重量％、より好ましくは１５〜５５重量％、特に好ましくは２０〜５０重量％の範囲の、少なくとも第二のモノマー、好ましくはα，β−エチレン性不飽和ニトリルモノマー、および
（ｉｃ）前記ポリマーを基準にして、０．１〜２０重量％、好ましくは０．５〜２０重量％、より好ましくは１〜１５重量％、特に好ましくは１．５〜１０重量％の範囲の、第三のモノマーとしての、少なくとも１種の、α，β−エチレン性不飽和ジカルボン酸モノエステルモノマー、α，β−エチレン性不飽和ジカルボン酸モノマー、α，β−エチレン性不飽和ジカルボン酸無水物モノマー、またはα，β−エチレン性不飽和ジカルボン酸ジエステル、好ましくは、少なくとも１種のα，β−エチレン性不飽和ジカルボン酸モノエステルモノマー；［ここで、（ｉａ）、（ｉｂ）および（ｉｃ）として言及されたすべてのモノマー繰り返し単位の合計が１００重量％である］を含み、
前記ポリマー（ｉ）は、ポリアミン架橋剤をベースとする架橋または橋かけ要素を含み、
前記ポリマー加硫物が、好ましくは１，８−ジアザビシクロ［５．４．０］ウンデカ−７−エン（ＤＢＵ）、１，５−ジアザビシクロ［４．３．０］−５−ノネン（ＤＢＮ）、１，４−ジアザビシクロ［２．２．２］オクタン（ＤＡＢＣＯ）、１，５，７−トリアザビシクロ［４．４．０］−デカ−５−エン（ＴＰＤ）、７−メチル−１，５，７−トリアザビシクロ［４．４．０］デカ−５−エン（ＭＴＰＤ）およびそれらの誘導体からなる群から選択される、少なくとも１種の二環もしくは多環のアミン系塩基、ならびに少なくとも１種のアルカリ金属塩（ｉｖ）を含む、
ポリマー加硫物。